(57)【要約】【課題】ショルダーストラップの長さ調節を容易にするショルダーストラップ用長さ調節具を提供する。【解決手段】ショルダーストラップ１に装着する調節具本体２で回動軸３を回動自在に支持する。回動軸３の係合部４にショルダーストラップ１を係合させる。ゼンマイばね５により、回動軸３を巻き取り方向に付勢する。被吊持物を置いたとき（無負荷時）、ゼンマイばね５が回動軸３を巻き取り方向に回動させてショルダーストラップ１を巻き取る。被吊持物を持ち上げたとき（負荷時）、ゼンマイばね５の付勢力に抗して、被吊持物の自重が回動軸３を巻き戻し方向に回動させる。回動軸３に巻き取られているショルダーストラップ１が巻き戻される。【選択図】  図２
2004154451.tif 000002
【特許請求の範囲】
【請求項１】
鞄などの被吊持物のショルダーストラップの長さを調節するためのショルダーストラップ用長さ調節具において、前記ショルダーストラップに装着される調節具本体と、該調節具本体に回動自在に支持された回動軸と、該回動軸にショルダーストラップを係合させる係合手段と、前記回動軸を巻き取り方向に付勢する付勢手段とを備え、前記被吊持物を置いたときなどの無負荷時に、前記付勢手段が回動軸を巻き取り方向に回動させてショルダーストラップを巻き取り、ショルダーストラップにより被吊持物を持ち上げたときなどの負荷時に、被吊持物の自重が付勢手段の付勢力に抗して回動軸を巻き戻し方向に回動させて、巻き取られたショルダーストラップを巻き戻すことを特徴とするショルダーストラップ用長さ調節具。
【請求項２】
前記回動軸の回動を阻止するストッパが設けられたことを特徴とする請求項１記載のショルダーストラップ用長さ調節具。
【請求項３】
鞄などの被吊持物のショルダーストラップの長さを調節するためのショルダーストラップ用長さ調節具において、前記ショルダーストラップに装着される一対の調節具本体と、ショルダーストラップと平行に配されて両調節具本体を接近させるように付勢する付勢手段とを備え、前記被吊持物を置いたときなどの無負荷時に、前記付勢手段が両調節具本体を接近させてショルダーストラップをＵ字状に弛ませ、ショルダーストラップにより被吊持物を持ち上げたときなどの負荷時に、被吊持物の自重が付勢手段の付勢力に抗して両調節具本体を離間させてショルダーストラップの弛みを伸ばすことを特徴とするショルダーストラップ用長さ調節具。
【請求項４】
鞄などの被吊持物のショルダーストラップの長さを調節するためのショルダーストラップ用長さ調節具において、前記ショルダーストラップに、開閉自在に折り畳み可能な調節具本体が装着され、該調節具本体を閉状態に向けて付勢する付勢手段が設けられ、前記被吊持物を置いたときなどの無負荷時に、前記付勢手段が調節具本体を閉状態にしてショルダーストラップを折り畳み、ショルダーストラップにより被吊持物を持ち上げたときなどの負荷時に、被吊持物の自重が付勢手段の付勢力に抗して調節具本体を開状態にしてショルダーストラップの折り畳み部分を伸ばすことを特徴とするショルダーストラップ用長さ調節具。
【請求項５】
鞄などの被吊持物のショルダーストラップの長さを調節するためのショルダーストラップ用長さ調節具において、前記ショルダーストラップに装着される一対の調節具本体と、両調節具本体同士を解除可能に止着する止着手段とを備え、前記被吊持物を置いたときなどの無負荷時に、前記止着手段により両調節具本体同士を止着してショルダーストラップをＵ字状に弛ませ、ショルダーストラップにより被吊持物を持ち上げたときなどの負荷時に、止着手段による止着を解除して両調節具本体同士を離間させてショルダーストラップの弛みを伸ばすことを特徴とするショルダーストラップ用長さ調節具。
【発明の詳細な説明】
【０００１】
【発明の属する技術分野】
本発明は、鞄などの被吊持物のショルダーストラップの長さを調節するためのショルダーストラップ用長さ調節具に関するものである。
【０００２】
【従来の技術】
一般に、鞄（ショルダーバッグ）やクーラーボックスなどの被吊持物には、肩に掛けて持ち運びするためのショルダーストラップが取り付けられている。図１１にショルダーストラップを有する鞄の斜視図を示す。この鞄１０１のショルダーストラップ１０２は、長さ調節金具１０３により、持ち運びしやすい長さに調節するようになっている。
【０００３】
【発明が解決しようとする課題】
ところで、ショルダーストラップは、肩に掛けて持ち運びしやすいように、鞄本体の大きさに対して長めに調節されることが多く、鞄を床に置くことにより、ショルダーストラップの肩に掛ける部分が床に触れて不潔になりやすい。しかし、鞄を床に置く度に、長さ調節金具により、ショルダーストラップの長さを調節するのは面倒である。
【０００４】
本発明は、ショルダーストラップの長さ調節を容易にすることができるショルダーストラップ用長さ調節具を提供することを目的とする。
【０００５】
【課題を解決するための手段】
上記課題に鑑み、本発明は、鞄などの被吊持物のショルダーストラップに後付け装着して、ショルダーストラップの長さを調節するためのショルダーストラップ用長さ調節具を提供するものである。なお、被吊持物としては、鞄以外にもクーラーボックスなどどのようなものであってもよい。
【０００６】
具体的な構成としては、ショルダーストラップに装着する調節具本体で回動軸を回動自在に支持する。係合手段により、回動軸にショルダーストラップを係合させ、付勢手段により、回動軸を巻き取り方向に付勢する。これにより、被吊持物を置いたときなどの無負荷時には、付勢手段が回動軸を巻き取り方向に回動させてショルダーストラップを巻き取る。一方、ショルダーストラップにより被吊持物を持ち上げたときなどの負荷時には、付勢手段の付勢力に抗して、被吊持物の自重が回動軸を巻き戻し方向に回動させ、回動軸に巻き取られているショルダーストラップを巻き戻す。
【０００７】
つまり、床に被吊持物を置いたときは、ショルダーストラップに被吊持物の自重が作用しないので、付勢手段により回動軸が巻き取り方向に回動してショルダーストラップを巻き取る。被吊持物を持ち上げたときは、ショルダーストラップに被吊持物の自重が作用するので、回動軸が巻き取り方向と反対の巻き戻し方向に回動してショルダーストラップを巻き戻す。
【０００８】
これにより、ショルダーストラップを持って被吊持物を持ち上げたり置いたりするだけで、ショルダーストラップの長さを調節することができる。被吊持物を床に置いたとき、ショルダーストラップが巻き取られることでその長さが短くなり、床に触れないようにすることができる。なお、付勢手段としては、ばねやゴムなどの弾性体を例示できる。
【０００９】
回動軸の回動を阻止するストッパを設ければ、ショルダーストラップへの装着を簡単にすることができる。つまり、ショルダーストラップに装着するとき、付勢手段により回動軸が回動するため、回動軸にショルダーストラップを係合させにくいが、ストッパで回動を阻止した回動軸にショルダーストラップを係合させた後、ストッパを解除するようにすれば、その装着を簡単にすることができる。
【００１０】
別の構成として、一対の調節具本体をショルダーストラップに装着し、ショルダーストラップと平行に配される付勢手段で、両調節具本体を接近させるように付勢してもよい。これにより、無負荷時には、付勢手段が両調節具本体を接近させてショルダーストラップをＵ字状に弛ませる。一方、負荷時には、付勢手段の付勢力に抗して、被吊持物の自重が両調節具本体を離間させてショルダーストラップの弛みを伸ばす。
【００１１】
この構成も上記の構成と同様、ショルダーストラップを持って被吊持物を持ち上げたり置いたりするだけで、ショルダーストラップの長さを調節することができる。なお、付勢手段としては、ばねやゴムなどの弾性体を例示できる。
【００１２】
また、別の構成として、ショルダーストラップに、開閉自在に折り畳み可能な調節具本体を装着し、付勢手段により、調節具本体を閉状態に向けて付勢してもよい。これにより、無負荷時には、付勢手段が調節具本体を閉状態にしてショルダーストラップを折り畳む。一方、負荷時には、付勢手段の付勢力に抗して、被吊持物の自重が調節具本体を開状態にしてショルダーストラップの折り畳み部分を伸ばす。
【００１３】
この構成も上記の構成と同様、ショルダーストラップを持って被吊持物を持ち上げたり置いたりするだけで、ショルダーストラップの長さを調節することができる。なお、付勢手段としては、ばねやゴムなどの弾性体を例示できる。
【００１４】
また、別の構成として、一対の調節具本体をショルダーストラップに装着し、止着手段により、両調節具本体同士を解除可能に止着するようにしてもよい。より具体的には、無負荷時に、止着手段で両調節具本体同士を止着することによりショルダーストラップをＵ字状に弛ませる。一方、負荷時には、止着手段による止着を解除して両調節具本体同士を離間させてショルダーストラップの弛みを伸ばす。
【００１５】
この構成によれば、ショルダーストラップを持って被吊持物を持ち上げるとき、止着手段による止着を解除するだけで、ショルダーストラップの長さを長くすることができる。また、被吊持物を置くとき、止着手段により両調節具本体同士を止着するだけで、ショルダーストラップの長さを短くすることができる。これにより、ショルダーストラップの長さを簡単に調節することができる。なお、止着手段としては、マグネットやマジックテープ（登録商標）、ボタン、フックを例示できる。
【００１６】
以上の構成はいずれも、被吊持物を持ち上げたとき、ショルダーストラップの長さを長くして肩に掛けて持ち運びやすくし、床に置いたとき、ショルダーストラップの長さを短くして床に触れないようにすることができる。
【００１７】
【発明の実施の形態】
以下、本発明に係るショルダーストラップ用長さ調節具の実施の形態について、図面を用いて説明する。このショルダーストラップ用長さ調節具は、鞄（ショルダーバッグ）などの被吊持物のショルダーストラップ１に後付けで装着し、被吊持物を持ち上げたときと、床などに置いたときとで、そのショルダーストラップ１の長さを変えるためのものである。なお、被吊持物としては、鞄以外にもクーラーボックスなどどのようなものであってもよい。
【００１８】
［第一実施形態］  図１は本発明の第一実施形態のショルダーストラップ用長さ調節具の斜視図、図２（ａ）は調節具本体の分解斜視図、図２（ｂ）は（ａ）のうちの覆板と一体化された側板の斜視図である。
【００１９】
このショルダーストラップ用長さ調節具は、ショルダーストラップ１に装着される調節具本体２と、調節具本体２に回動自在に支持される回動軸３と、回動軸３にショルダーストラップ１を係合させる係合部４（係合手段）と、回動軸３を巻き取り方向に付勢するゼンマイばね５（付勢手段）と、回動軸３の回動を阻止するストッパ６とを備えている。
【００２０】
調節具本体２は、ショルダーストラップ１を左右（ショルダーストラップ１の幅方向）に挟むように互いに平行に配される二枚の側板７ａ、７ｂと、回動軸３の周りに巻き取られたショルダーストラップ１を上下（ショルダーストラップ１の表側及び裏側）から覆う二枚の覆板８とからなり、例えば合成樹脂から形成される。
【００２１】
側板７ａ、７ｂは、略楕円状とされて、その長径方向を前後方向（ショルダーストラップ１の長さ方向）に向けて配置される。側板７ａ、７ｂの中央付近には、回動軸３を回動自在に支持するための筒状の軸受け９ａ、９ｂが形成されている。覆板８は、一方の側板７ａと一体的に成形され、側板７ａの上縁及び下縁から他方の側板７ｂに向けて突設されている。覆板８の先端に側板７ｂを嵌合することにより、調節具本体２が組み立てられる。
【００２２】
回動軸３は、例えば合成樹脂から断面略円形に形成され、他の部位よりも太くされた基端部３ａが側板７ｂの軸受け９ｂに回動自在に支持されている。回動軸３には、先端から軸方向に沿って係合部４としての切り込みが形成されている。覆板８に側板７ｂを嵌合して調節具本体２を組み立てるとき、係合部４に先端側からショルダーストラップ１を挿入することにより、回動軸３にショルダーストラップ１が係合する。
【００２３】
図３は回動軸を回動させる機構を示す斜視図である。図３において、調節具本体２を二点鎖線で示している。軸受け９ａ、９ｂの内部には、ゼンマイばね５が配され、その外端片５ａが軸受け９ａ、９ｂの壁面に止着されている。両ゼンマイばね５の中央片５ｂには、回動軸３の係合部４の先端と、回動軸３の基端部３ａとがそれぞれ係合される。
【００２４】
側板７ａ、７ｂの外面側に突出する軸受け９ａ、９ｂには、ゼンマイばね５に付勢力を付与するためのつまみ１０が装着されている。つまみ１０は、その中央の突起１１がゼンマイばね５の中央片５ｂに係合され、巻き戻し方向に回転させることにより、ゼンマイばね５に付勢力を付与するようになっている。
【００２５】
ストッパ６は、つまみ１０の周面に形成されたストッパ孔１２と、このストッパ孔１２に係脱自在な図示しないストッパ突起と、このストッパ突起をストッパ孔１２に係脱させるためのストッパレバー１３とからなる。ストッパレバー１３を操作してストッパ突起をストッパ孔１２に係合させることにより、つまみ１０及び回動軸３の回動が阻止される。
【００２６】
次に、このショルダーストラップ用長さ調節具を装着する手順及び動作について説明する。まず、両つまみ１０を巻き戻し方向に回転させて、両ゼンマイばね５に付勢力を付与する。次いで、ストッパレバー１３を操作して、両つまみ１０及び回動軸３の回動を阻止することにより、ゼンマイばね５の巻き戻りを規制する。
【００２７】
回動軸３の係合部４に、その先端側からショルダーストラップ１を挿入し、側板７ｂを覆板８に嵌合して調節具本体２を組み立てる。その後、ストッパレバー１３を操作してつまみ１０及び回動軸３の回動阻止を解除することにより、ショルダーストラップ１が回動軸３の周りに巻き取られ、ショルダーストラップ用長さ調節具の装着が完了する。
【００２８】
ショルダーストラップ１を持って被吊持物を持ち上げたとき（負荷時）、被吊持物の自重がゼンマイばね５の付勢力に抗して回動軸３を巻き戻し方向に回動させる。これにより、回動軸３の周りに巻き取られているショルダーストラップ１が巻き戻され、図４（ａ）に示すように、ショルダーストラップ１の長さが長くなり、ショルダーストラップ１を肩に掛けて被吊持物を持ちやすくなる。
【００２９】
一方、被吊持物を床などに置いたとき（無負荷時）、ゼンマイばね５が回動軸３を巻き取り方向に回動させてショルダーストラップ１を巻き取る。これにより、図４（ｂ）に示すように、ショルダーストラップ１の長さが短くなり、ショルダーストラップが床に触れない。
【００３０】
上記構成によれば、ショルダーストラップ１を持って被吊持物を持ち上げたり、床に置いたりするだけで、ショルダーストラップ１の長さを調節することができる。
【００３１】
［第二実施形態］  図５は本発明の第二実施形態のショルダーストラップ用長さ調節具の斜視図である。このショルダーストラップ用長さ調節具は、ショルダーストラップ１に装着される一対の調節具本体１４と、両調節具本体１４を接近させるように付勢する板ゴム１５（付勢手段）とを備えている。
【００３２】
図６に示すように、調節具本体１４は、例えば合成樹脂から二つ折り可能な略長方形の板状に形成されてなり、この調節具本体１４を折り畳んでショルダーストラップ１を挟みつけるようになっている。調節具本体１４の両端には止着片１６が形成され、止着片１６同士を重ね合わせて止着することにより、調節具本体１４が折り畳まれた状態に保持される。
【００３３】
調節具本体１４の一方の重ね合わせ面には、多数の突起１７が形成され、この突起１７がショルダーストラップ１に対する滑り止めとされる。板ゴム１５は、調節具本体１４の他方の重ね合わせ面に止着され、両調節具本体１４同士を接続している。
【００３４】
次に、このショルダーストラップ用長さ調節具を装着する手順及び動作について説明する。まず、板ゴム１５をショルダーストラップ１と平行に配して引き伸ばし、両調節具本体１４同士を離間させる。各調節具本体１４を折り畳んでショルダーストラップ１を挟みつけ、両端の止着片１６同士を重ね合わせて止着することにより、ショルダーストラップ１に調節具本体１４が装着される。
【００３５】
ショルダーストラップ１を持って被吊持物を持ち上げたとき（負荷時）、図７（ａ）に示すように、被吊持物の自重が板ゴム１５の付勢力に抗して両調節具本体１４同士を離間させる。これにより、ショルダーストラップ１の長さが長くなり、ショルダーストラップ１を肩に掛けて被吊持物を持ちやすくなる。
【００３６】
一方、被吊持物を床などに置いたとき（無負荷時）、図７（ｂ）に示すように、板ゴム１５が両調節具本体１４同士を接近させてショルダーストラップ１をＵ字状に弛ませる。これにより、ショルダーストラップ１の長さが短くなり、ショルダーストラップ１が床に触れない。
【００３７】
上記構成によれば、第一実施形態と同様、ショルダーストラップ１を持って被吊持物を持ち上げたり、床に置いたりするだけで、ショルダーストラップ１の長さを調節することができる。
【００３８】
［第三実施形態］  図８は本発明の第三実施形態のショルダーストラップ用長さ調節具の斜視図である。このショルダーストラップ用長さ調節具は、ショルダーストラップ１に装着される開閉自在に折り畳み可能な調節具本体１８と、この調節具本体１８を閉状態に向けて付勢するキックばね１９（付勢手段）とを備えている。
【００３９】
調節具本体１８は、例えば合成樹脂からなる二枚の板片１８ａ、１８ｂの端部同士を回動軸２０を介して開閉自在に連結してなる。一方の板片１８ａの外面外端には、ショルダーストラップ１をスライド自在に係止する係止部２１が着脱自在に設けられ、板片１８ａと係止部２１との間にショルダーストラップ１を挿通させる。他方の板片１８ｂの外面外端には、板片１８ｂとの間にショルダーストラップ１を挟持するための挟持片２２が設けられている。
【００４０】
キックばね１９は、そのコイル部２３を回動軸２１に装着し、キック片２４を両板片１８ａ、１８ｂに係合することにより、調節具本体１８を閉状態に向けて付勢する。
【００４１】
次に、このショルダーストラップ用長さ調節具を装着する手順及び動作について説明する。まず、板片１８ａの外面との間にショルダーストラップ１を挿通させるようにして、板片１８ａに係止部２１を取り付ける。板片１８ｂの外面に挟持片２２を取り付けてショルダーストラップ１を挟みつけることにより、ショルダーストラップ１にショルダーストラップ用長さ調節具が装着される。
【００４２】
ショルダーストラップ１を持って被吊持物を持ち上げたとき（負荷時）、図９（ａ）に示すように、被吊持物の自重がキックばね１９の付勢力に抗して調節具本体１８を開状態にしてショルダーストラップ１を伸ばす。これにより、ショルダーストラップ１の長さが長くなり、ショルダーストラップ１を肩に掛けて被吊持物を持ちやすくなる。
【００４３】
一方、被吊持物を床などに置いたとき（無負荷時）、図９（ｂ）に示すように、キックばね１９が調節具本体１８を閉状態にしてショルダーストラップ１を折り畳む。これにより、ショルダーストラップ１の長さが短くなり、ショルダーストラップ１が床に触れない。
【００４４】
上記構成によれば、第一、第二実施形態と同様、ショルダーストラップ１を持って被吊持物を持ち上げたり、床に置いたりするだけで、ショルダーストラップ１の長さを調節することができる。
【００４５】
［第四実施形態］  図１０は本発明の第四実施形態のショルダーストラップ用長さ調節具の斜視図である。このショルダーストラップ用長さ調節具は、ショルダーストラップ１に装着される一対の調節具本体２５と、両調節具本体２５同士を解除可能に止着する止着手段とを備えている。
【００４６】
調節具本体２５は、例えば合成樹脂から二つ折り可能な略長方形の板状に形成されてなり、ショルダーストラップ１を挟みつけるように折り畳まれる。止着手段は、調節具本体２５の裏側面に設けられたマグネットやマジックテープ（登録商標）、ボタン、フックなどとされ、ショルダーストラップ１に装着された調節具本体２５同士を解除可能に止着する。
【００４７】
次に、このショルダーストラップ用長さ調節具を装着する手順及び動作について説明する。まず、ショルダーストラップ１を挟むように調節具本体２５を折り畳み、調節具本体２５をショルダーストラップ１に装着する。ショルダーストラップ１に装着する両調節具本体２５の間隔を調節することにより、ショルダーストラップ１の長さの調節量を所望の大きさに設定する。
【００４８】
ショルダーストラップ１を持って被吊持物を持ち上げるとき（負荷時）、図１０（ａ）に示すように、止着手段による止着を解除し、両調節具本体２５同士を離間させてショルダーストラップ１の弛みを伸ばす。これにより、ショルダーストラップ１の長さが長くなり、ショルダーストラップ１を肩に掛けて被吊持物を持ちやすくなる。
【００４９】
一方、被吊持物を床などに置くとき（無負荷時）、図１０（ｂ）に示すように、止着手段により両調節具本体２５同士を止着し、ショルダーストラップ１をＵ字状に弛ませる。これにより、ショルダーストラップ１の長さが短くなり、ショルダーストラップ１が床に触れない。
【００５０】
上記構成によれば、両調節具本体２５同士を止着したり、その止着を解除したりするだけで、ショルダーストラップ１の長さを簡単に調節することができる。
なお、調節具本体２５を折り畳んでショルダーストラップ１を挟みつける代わりに、調節具本体２５を例えばクリップ状に形成して、ショルダーストラップ１に装着するようにしてもよい。止着手段としてフックなどの強固に止着可能なものを採用することにより、ショルダーストラップ１を短くした状態のまま、手に提げて持ち運びできるようにしてもよい。
【００５１】
【発明の効果】
以上の説明から明らかな通り、本発明によると、ショルダーストラップの長さを簡単に調節することができる。そのため、被吊持物を持ち運びするとき、ショルダーストラップを長くすることにより、ショルダーストラップを肩に掛けて被吊持物を持ちやすいようにすることができる。一方、床などに被吊持物を置くとき、ショルダーストラップを短くして床に触れないようにすることができる。これにより、ショルダーストラップの肩に掛ける部分を清潔に保つことができる。
【図面の簡単な説明】
【図１】本発明の第一実施形態のショルダーストラップ用長さ調節具の斜視図
【図２】（ａ）は調節具本体の分解斜視図、（ｂ）は（ａ）のうちの覆板と一体化された側板の斜視図
【図３】回動軸を回動させる機構を示す斜視図
【図４】図１のショルダーストラップ用長さ調節具を装着したショルダーストラップの斜視図で、（ａ）は負荷時を示し、（ｂ）は無負荷時を示す
【図５】本発明の第二実施形態のショルダーストラップ用長さ調節具の斜視図
【図６】調節具本体の斜視図
【図７】図５のショルダーストラップ用長さ調節具を装着したショルダーストラップの斜視図で、（ａ）は負荷時を示し、（ｂ）は無負荷時を示す
【図８】本発明の第三実施形態のショルダーストラップ用長さ調節具の斜視図
【図９】図８のショルダーストラップ用長さ調節具を装着したショルダーストラップの斜視図で、（ａ）は負荷時を示し、（ｂ）は無負荷時を示す
【図１０】本発明の第四実施形態のショルダーストラップ用長さ調節具の斜視図で、（ａ）は負荷時を示し、（ｂ）は無負荷時を示す
【図１１】従来の長さ調節金具が設けられたショルダーストラップを有する鞄の斜視図
【符号の説明】
１    ショルダーストラップ
２    調節具本体
３    回動軸
４    係合部
５    ゼンマイばね
６    ストッパ
１４  調節具本体
１５  板ゴム
１８  調節具本体
１９  キックばね
２５  調節具本体
【図１】
2004154451.tif 000003
【図２】
2004154451.tif 000004
【図３】
2004154451.tif 000005
【図４】
2004154451.tif 000006
【図５】
2004154451.tif 000007
【図６】
2004154451.tif 000008
【図７】
2004154451.tif 000009
【図８】
2004154451.tif 000010
【図９】
2004154451.tif 000011
【図１０】
2004154451.tif 000012
【図１１】
2004154451.tif 000013